(57)【要約】【課題】軽量且つ耐久性を有するとともに、グリップ感が良好なゴルフクラブを提供する。【解決手段】本発明は、ゴルフクラブに関するものであり、シャフト１２の下端部にはパターヘッド１４が装着され、上端部側には木材で形成したグリップ本体３２ａ、３２ｂがシャフト１２を介して貼り合わせるようにして装着され、グリップ本体３２ａ、３２ｂの端部に蓋部材３６が嵌合され、グリップ本体３２ａ、３２ｂ及び蓋部材３６の外表面には漆層４６ａ、４６ｂが形成される。【選択図】図２
2011172780.tif 000002
【特許請求の範囲】
【請求項１】
シャフトの端部側に装着されるグリップ本体を木材で形成し、前記グリップ本体の外表面に漆層を形成することを特徴とするゴルフクラブ。
【請求項２】
請求項１記載のゴルフクラブにおいて、
前記グリップ本体の端部には、木材からなる蓋部材が装着され、前記蓋部材の外表面に漆層を形成することを特徴とするゴルフクラブ。
【請求項３】
請求項１又は２記載のゴルフクラブにおいて、
前記グリップ本体のうち、少なくともヘッド側の端部外周部に金属リングが填め込まれることを特徴とするゴルフクラブ。
【請求項４】
請求項３記載のゴルフクラブにおいて、
前記金属リングは、前記シャフトの外周部と前記グリップ本体の内周部との間に配設される内周リング部と、前記グリップ本体の外周部に配設される外周リング部とを有し、前記内周リング部及び前記外周リング部が前記ヘッド側で連結され、前記内周リング部及び前記外周リング部間に前記グリップ本体の端部が填め込まれることを特徴とするゴルフクラブ。
【請求項５】
請求項１〜４のいずれか１項に記載のゴルフクラブにおいて、
前記グリップ本体は、前記シャフトの端部側に装着される一対の木材片からなり、前記一対の木材片を前記シャフトを介して貼り合わせて前記シャフトに装着されることを特徴とするゴルフクラブ。
【請求項６】
請求項１〜４のいずれか１項に記載のゴルフクラブにおいて、
前記グリップ本体は、前記シャフトが挿入される孔部を有し、前記孔部に前記シャフトを挿入することで前記シャフトに装着されることを特徴とするゴルフクラブ。
【発明の詳細な説明】
【技術分野】
【０００１】
本発明は、グリップを木材で形成したゴルフクラブに関する。
【背景技術】
【０００２】
通常、ゴルフクラブのグリップは、ゴム等の弾性部材からなるグリップ本体をシャフトの上端部に装着し、その外周に革テープ等を巻回して構成されている。グリップには、プレーヤがゴルフクラブを安定した状態で把持してスイングできるだけでなく、良好なグリップ感が得られるよう、耐摩耗性、耐変質性等の特性を含む耐久性が要求される。特に、パターの場合、グリップ感が極めて重要な要素となる。
【０００３】
しかしながら、頻繁に使用されるゴルフクラブの場合、プレーヤの汗や雨、直射日光等によってグリップが劣化し易い。そのため、特に、プロゴルファーにおいては、数ヶ月毎にグリップを交換することが余儀なくされている。
【０００４】
そこで、グリップ感を向上させるとともに、長期間使用することで手になじませることを目的として、グリップを木材で形成したものが提案されている（特許文献１、２）。しかしながら、木材からなるグリップは、軽量である反面、乾燥や直射日光によるひび割れ、汗、雨等による腐食が懸念される。従って、グリップを木材で形成するだけでは、耐久性に問題があるだけでなく、美観も低下することが懸念される。結局、このようなグリップは、長期間の使用に耐え得るものではない。
【０００５】
一方、ゴルフクラブのシャフトを漆で被覆したゴルフクラブが提案されている（特許文献３）。特許文献３は、シャフトに漆を施すことにより、美的装飾効果を得るとともに、漆の装飾模様をフェースの方向性を決めるマークとして活用し、且つ、漆によるシャフトの強度向上を図ることを目的としている。
【先行技術文献】
【特許文献】
【０００６】
【特許文献１】実用新案登録第３０３８１５４号公報
【特許文献２】特開平１０−２０１８９０号公報
【特許文献３】実開平８−１５９９号公報
【発明の概要】
【発明が解決しようとする課題】
【０００７】
特許文献３に開示された先行技術の場合、硬化した漆は、比較的脆弱であるため、ゴルフクラブのシャフトのように、硬く且つ振動を生じ易い部分に施した場合には、剥離やひび割れ等の生じることが懸念される。
【０００８】
本発明は、前記の不具合を解消するためになされたものであって、軽量且つ耐久性を有するとともに、グリップ感が極めて良好なゴルフクラブを提供することを目的とする。
【課題を解決するための手段】
【０００９】
本発明に係るゴルフクラブは、シャフトの端部側に装着されるグリップ本体を木材で形成し、前記グリップ本体の外表面に漆層を形成することを特徴とする。
【００１０】
前記ゴルフクラブにおいて、前記グリップ本体の端部には、木材からなる蓋部材が装着され、前記蓋部材の外表面に漆層を形成することを特徴とする。
【００１１】
前記ゴルフクラブにおいて、前記グリップ本体のうち、少なくともヘッド側の端部外周部に金属リングが填め込まれることを特徴とする。
【００１２】
前記ゴルフクラブにおいて、前記金属リングは、前記シャフトの外周部と前記グリップ本体の内周部との間に配設される内周リング部と、前記グリップ本体の外周部に配設される外周リング部とを有し、前記内周リング部及び前記外周リング部が前記ヘッド側で連結され、前記内周リング部及び前記外周リング部間に前記グリップ本体の端部が填め込まれることを特徴とする。
【００１３】
前記ゴルフクラブにおいて、前記グリップ本体は、前記シャフトの端部側に装着される一対の木材片からなり、前記一対の木材片を前記シャフトを介して貼り合わせて前記シャフトに装着されることを特徴とする。
【００１４】
前記ゴルフクラブにおいて、前記グリップ本体は、前記シャフトが挿入される孔部を有し、前記孔部に前記シャフトを挿入することで前記シャフトに装着されることを特徴とする。
【発明の効果】
【００１５】
本発明のゴルフクラブでは、グリップ本体を木材で形成し、その外表面に漆層を形成することにより、グリップを軽量化できるとともに、耐水性、耐腐食性を向上させることができる。また、グリップを把持するプレーヤの手とのなじみがよく、木材の暖かさ、柔らかさといった質感を損なうことなく、極めて良好なグリップ感を得ることができる。
【図面の簡単な説明】
【００１６】
【図１】第１実施形態のグリップを装着したゴルフクラブの斜視図である。
【図２】図１に示すグリップの分解斜視図である。
【図３】図１に示すグリップの断面図である。
【図４】図１に示すグリップに装着される金属リングの変形例の斜視図である。
【図５】図４に示す金属リングを用いたグリップの部分断面図である。
【図６】第２実施形態のグリップの分解斜視図である。
【図７】図６に示すグリップの断面図である。
【発明を実施するための形態】
【００１７】
以下、本発明の実施形態について図面を参照して説明する。
【００１８】
図１は、第１実施形態のグリップ１６を装着したゴルフクラブ１０の斜視図であり、図２は、グリップ１６の分解斜視図であり、図３は、グリップ１６の断面図である。ゴルフクラブ１０は、シャフト１２と、シャフト１２の下端部に装着されるパターヘッド１４と、シャフト１２の上端部に装着されるグリップ１６とから基本的に構成される。
【００１９】
シャフト１２は、通常、繊維強化樹脂からなるシートをロール状に巻回し、あるいは、スチールパイプを成形して製造される。シャフト１２は、グリップ１６が装着される上端部からパターヘッド１４の装着される下端部に向かって徐々に縮径するテーパ形状であり、その外周部には、漆を塗布した後、焼き付け処理することで、漆層が形成される。
【００２０】
パターヘッド１４は、フェース１８、バック２０、トゥ２２、ヒール２４、ソール２６及びトップ２８を有し、トップ２８のヒール２４寄りの部位には、シャフト１２の下端部が挿入されて固定されるホーゼル３０が形成される。パターヘッド１４の外周部には、シャフト１２と同様に、漆層が形成される。
【００２１】
グリップ１６は、図２及び図３に示すように、シャフト１２の上端部側外周部に装着される一対の木材片からなるグリップ本体３２ａ、３２ｂと、グリップ本体３２ａ、３２ｂの両端部外周部に装着される金属リング３４ａ、３４ｂと、シャフト１２の上端部側となるグリップ本体３２ａ、３２ｂの上端部に装着される蓋部材３６とから構成される。グリップ本体３２ａ、３２ｂ及び蓋部材３６は、外周面が板目となるように加工することにより、木目が木材独特の模様となって出現するため、美観上好ましい。
【００２２】
グリップ本体３２ａ、３２ｂには、金属リング３４ａ及び３４ｂが装着される段部３８ａ、３８ｂ及び４０ａ、４０ｂが両端部外周部に形成されるとともに、蓋部材３６が嵌合する段部４２ａ、４２ｂが上端部内周部に形成される。また、各グリップ本体３２ａ、３２ｂには、シャフト１２の外形形状に対応して徐々に縮径するテーパ形状の溝部４４ａ、４４ｂが中心軸線に沿って形成される。グリップ本体３２ａ、３２ｂは、図１に示すように、蓋部材３６側の部位において、パターヘッド１４のヒール２４側に相当する部位が、トゥ２２側に相当する部位よりも肉厚となる。安定したグリップ感を得るためである。蓋部材３６は、グリップ本体３２ａ、３２ｂの段部４２ａ、４２ｂに嵌合する凸部４６を有する。
【００２３】
グリップ本体３２ａ、３２ｂ及び蓋部材３６は、檜、欅等の木材から形成される。これらの木材は、耐湿性、耐久性に優れている。グリップ本体３２ａ、３２ｂ及び蓋部材３６の外表面には、漆が塗布された後、焼き付け処理が施されることで、漆層４８ａ、４８ｂ及び５０が形成される。
【００２４】
第１実施形態のグリップ１６を装着したゴルフクラブ１０は、基本的には以上のように構成される。次に、このゴルフクラブ１０の作用効果について説明する。
【００２５】
ゴルフクラブ１０の組立に際しては、シャフト１２に小径側から予め金属リング３４ｂを嵌合させた状態とし、漆層が形成されたパターヘッド１４のホーゼル３０に、漆層が形成されたシャフト１２の下端部である小径側の端部を嵌合させ、接着剤を用いてシャフト１２を固定する。次に、漆層４８ａ、４８ｂが形成されたグリップ本体３２ａ、３２ｂの溝部４４ａ、４４ｂを、シャフト１２の上端部側である大径側に嵌合させ、シャフト１２を介し接着剤を用いてグリップ本体３２ａ、３２ｂ同士を貼り合わせる。この場合、グリップ本体３２ａ、３２ｂの上端部側の肉厚となる部分が、パターヘッド１４のヒール２４側となるように、グリップ本体３２ａ、３２ｂをシャフト１２に固定する。その後、グリップ本体３２ａ、３２ｂの上端部外周部の段部３８ａ、３８ｂに金属リング３４ａを填め込むとともに、金属リング３４ｂをシャフト１２に沿って小径側から大径側に移動させ、下端部外周部の段部４０ａ、４０ｂに填め込む。最後に、グリップ本体３２ａ、３２ｂの上端部内周部の段部４２ａ、４２ｂに漆層５０が形成された蓋部材３６の凸部４６を嵌合させ、接着剤により接合することで、ゴルフクラブ１０の組立が完了する。
【００２６】
以上のように構成されたゴルフクラブ１０のグリップ１６は、木材からなるグリップ本体３２ａ、３２ｂ及び蓋部材３６に漆層４８ａ、４８ｂ及び５０を形成しているため、非常に軽量である。そのため、従来のゴム等の弾性部材からなるグリップと比較すると、重心がパターヘッド１４寄りとなるため、ゴルフクラブ１０のスイング時において高い安定性が得られる。また、グリップ１６が軽量であるため、ゴルフクラブ１０のウエイトバランスを調整する際の自由度も高い。
【００２７】
さらに、木材からなるグリップ１６の外表面に漆層４８ａ、４８ｂ及び５０を形成しているため、プレーヤの手とのなじみが良く、木材の暖かさ、柔らかさといった質感を損なうことなく、極めて良好なグリップ感を得ることができる。
【００２８】
しかも、漆は、抗菌作用があるとともに、防水性、耐腐食性に優れているため、プレーヤの汗や、雨、直射日光等に長期間曝される状態であっても、グリップ１６が変色したり変質したりすることがなく、また、付着した汚れを容易に除去することもできる。従って、グリップ１６を交換する必要がなく、長期間、同じグリップ１６が装着されたゴルフクラブ１０を使用することができる。なお、シャフト１２と比較すると、グリップ１６の部分には、振動やねじれ等が伝わり難いため、漆層４８ａ、４８ｂ及び５０が剥離するようなおそれもない。
【００２９】
また、グリップ本体３２ａ、３２ｂの両端部には、金属リング３４ａ、３４ｂが填め込まれているため、シャフト１２の振動がグリップ本体３２ａ、３２ｂに伝達されたとしても、グリップ本体３２ａ、３２ｂが割れたり、シャフト１２から外れてしまう、といった不具合が生じるおそれもない。
【００３０】
さらに、ゴルフクラブ１０は、シャフト１２及びパターヘッド１４の外周部にも漆層を形成している。この場合、漆層は、つや消しの効果があるため、漆層によってシャフト１２及びパターヘッド１４からの太陽光の反射を抑えて、支障なくゴルフを行うことができる。また、パターの場合、シャフト１２やパターヘッド１４に大きな外力が加わることがないため、これらに形成した漆層が剥離するような心配もない。従って、極めて高級感のあるゴルフクラブ１０を使用してプレーを楽しむことができる。
【００３１】
なお、パターヘッド１４に漆層を形成する際、例えば、トップ２８の特定の部位に特徴的な模様を描画させておけば、その模様をパターヘッド１４のフェース１８の方向性の基準として利用することも可能である。
【００３２】
図４は、金属リング３４ｂの変形例の斜視図である。また、図５は、図４に示す金属リング５２を用いたグリップ５４の部分断面図である。
【００３３】
グリップ５４は、シャフト１２の上端部側外周部に装着される一対の木材片からなるグリップ本体５６ａ、５６ｂを備える。金属リング５２は、シャフト１２の外周部とグリップ本体５６ａ、５６ｂの内周部との間に配設される内周リング部５８と、グリップ本体５６ａ、５６ｂの外周部に配設される外周リング部６０とを有し、内周リング部５８及び外周リング部６０間に、グリップ本体５６ａ、５６ｂの半円弧状の端部６２ａ、６２ｂが嵌合する周溝６４が形成される。内周リング部５８及び外周リング部６０は、連結部６６によってパターヘッド１４側が連結される。金属リング５２は、図５に示すように、断面Ｕ字状を呈する。
【００３４】
このように構成される金属リング５２は、シャフト１２に装着されたグリップ本体５６ａ、５６ｂの端部６２ａ、６２ｂを周溝６４に填め込んで装着される。この場合、グリップ本体５６ａ、５６ｂの端部６２ａ、６２ｂは、金属リング５２によってシャフト１２にしっかりと固定される。従って、シャフト１２が振動しても、グリップ本体５６ａ、５６ｂにひび割れが生じるようなおそれはない。また、金属リング５２は、断面Ｕ字状に形成されているため、シャフト１２の外周部に当接する金属リング５２のエッジ部分によってシャフト１２に傷がつくおそれもない。
【００３５】
図６及び図７は、第２実施形態のグリップ７０の分解斜視図及び断面図である。
【００３６】
グリップ７０は、シャフト１２の上端部外周部に装着される略円柱形状の木材からなるグリップ本体７２と、グリップ本体７２の上端部に形成された段部７４に凸部７６を介して嵌合される蓋部材７８とから構成される。グリップ本体７２には、シャフト１２が挿入されるテーパ形状の孔部８０が中心軸線に沿って形成される。なお、外周面が板目となるようにグリップ本体７２及び蓋部材７８を加工することにより、木目が木材独特の模様となって出現するため、美観上も好ましものとなる。グリップ本体７２及び蓋部材７８の外表面には、漆が塗布された後、焼き付け処理が施されることで、漆層８２及び８４が形成される。
【００３７】
グリップ７０をシャフト１２に装着する場合、パターヘッド１４が装着されていないシャフト１２の小径側端部を段部７４側からグリップ７０の孔部８０に挿入、大径側にグリップ本体７２を接着し、次いで、蓋部材７８をグリップ本体７２の段部７４に嵌合させて接着する。
【００３８】
このように、グリップ７０を一体的に構成することにより、グリップ７０に割れやひびが生じるおそれがより少なくなり、ゴルフクラブを長期間安定した状態で使用することができる。また、図１に示す金属リング３４ａ、３４ｂを使用していないため、グリップ７０のさらなる軽量化を図ることができる。
【００３９】
なお、本発明は、上述した実施の形態に限定されるものではなく、本発明の主旨を逸脱しない範囲で変更することが可能である。
【００４０】
例えば、第１実施形態のグリップ１６において、グリップ本体３２ａ、３２ｂの耐久性が充分に保証されるのであれば、金属リング３４ａ、３４ｂを用いないゴルフクラブ１０としてもよい。また、金属リング３４ａ、３４ｂは、いずれか一方のみ、例えば、パターヘッド１４側の金属リング３４ｂのみを使用するようにしてもよい。
【００４１】
また、第１実施形態では、外表面に予め漆層を形成したシャフト１２、パターヘッド１４及びグリップ１６を組み立ててゴルフクラブ１０を製造するものとして説明したが、シャフト１２、パターヘッド１４及びグリップ１６を組み立てた後、漆層を形成するようにしてもよい。第２実施形態のグリップ７０の場合も同様に、シャフト１２にグリップ７０を装着した後、漆層を形成するようにしてもよい。
【００４２】
また、シャフト１２及びパターヘッド１４にも漆層を形成するものとして説明したが、グリップ１６、５４、７０のみに漆層を形成したゴルフクラブとしてもよい。
【００４３】
さらに、本発明は、パターに限定されるものではなく、あらゆる種類のゴルフクラブのグリップに対しても適用可能である。
【符号の説明】
【００４４】
１０…ゴルフクラブ
１２…シャフト
１４…パターヘッド
１６、５４、７０…グリップ
３２ａ、３２ｂ、５６ａ、５６ｂ、７２…グリップ本体
３４ａ、３４ｂ、５２…金属リング
３６、７８…蓋部材
４８ａ、４８ｂ、５０、８２、８４…漆層
５８…内周リング部
６０…外周リング部
６６…連結部
【図１】
2011172780.tif 000003
【図２】
2011172780.tif 000004
【図３】
2011172780.tif 000005
【図４】
2011172780.tif 000006
【図５】
2011172780.tif 000007
【図６】
2011172780.tif 000008
【図７】
2011172780.tif 000009